(57)【要約】      （修正有）【課題】「ＵＬ  ＣＡ」が行われる場合に、ＣＣ及びＴＡＧの適切なマッピングの設定を行う。【解決手段】移動局ＵＥは、１つ又は複数のＴＡＧを管理するように構成されている管理部１１と、同一のＴＡＧに属するＣＣにおいて、上りリンク信号の送信タイミングが同一になるように調整するように構成されている調整部１２と、無線基地局ｅＮＢに対して、対応可能なバンド及びＣＣと、設定可能なＴＡＧの組み合わせと共に、かかる組み合わせに含まれるＴＡＧに対応するバンド及びＣＣを通知するように構成されている送信部１３とを具備する。【選択図】図２
2014093663.tif 000002
【特許請求の範囲】
【請求項１】
複数のコンポーネントキャリアを用いてキャリアアグリゲーションを行うことができるように構成されている移動通信システムで用いられる移動局であって、
１つ又は複数のタイミング調整グループを管理するように構成されている管理部と、
同一のタイミング調整グループに属するコンポーネントキャリアにおいて、上りリンク信号の送信タイミングが同一になるように調整するように構成されている調整部と、
無線基地局に対して、対応可能なバンド及びコンポーネントキャリアと、設定可能なタイミング調整グループの組み合わせと共に、該組み合わせに含まれるタイミング調整グループに対応する該バンド及び該コンポーネントキャリアを通知するように構成されている送信部とを具備することを特徴とする移動局。
【請求項２】
前記送信部は、前記バンドと前記コンポーネントキャリアと前記タイミング調整グループとの組み合わせを示すタイミング調整能力組み合わせ情報を送信するように構成されていることを特徴とする請求項１に記載の移動局。
【請求項３】
前記送信部は、予め決められた順に従って、前記通知を行うように構成されていることを特徴とする請求項１に記載の移動局。
【発明の詳細な説明】
【技術分野】
【０００１】
本発明は、移動局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式に対応する移動通信システムでは、ＰＣＣ（Ｐｒｉｍａｒｙ  Ｃｏｍｐｏｎｅｎｔ  Ｃａｒｒｉｅｒ）におけるサービングセルであるＰｃｅｌｌ（Ｐｒｉｍａｒｙ  Ｃｅｌｌ、プライマリセル）及びＳＣＣ（Ｓｅｃｏｎｄａｒｙ  Ｃｏｍｐｏｎｅｎｔ  Ｃａｒｒｉｅｒ）におけるサービングセルであるＳｃｅｌｌ（Ｓｅｃｏｎｄａｒｙ  Ｃｅｌｌ、セカンダリセル）を用いて、ＣＡ（Ｃａｒｒｉｅｒ  Ａｇｇｒｅｇａｔｉｏｎ、キャリアアグリゲーション）を行うことができる。
【０００３】
また、ＬＴＥ-Ａｄｖａｎｃｅｄ方式に対応する移動通信システムでは、ＴＡ（Ｔｉｍｉｎｇ  Ａｄｖａｎｃｅ）制御が行われるように構成されている。
【０００４】
具体的には、ＴＡ制御では、図８に示すように、無線基地局ｅＮＢが、複数の移動局ＵＥ＃１/ＵＥ＃２からの受信信号の受信タイミング（ＦＦＴタイミング）を合わせるために、各移動局ＵＥ＃１/ＵＥ＃２に対して、ＴＡ値を指示し、各移動局ＵＥ＃１/ＵＥ＃２は、指示されたＴＡ値に基づいて、上りリンク信号の送信タイミングを調整するように構成されている。
【０００５】
例えば、図８に示すように、無線基地局ｅＮＢは、セル端に位置する移動局ＵＥ＃２に対して、セル中央に位置する移動局ＵＥ＃１よりも早いタイミングで、上りリンク信号を送信させる。
【０００６】
また、異なるバンドのＣＣ（Ｃｏｍｐｏｎｅｎｔ  Ｃａｒｒｉｅｒ、コンポーネントキャリア）を用いて、「Ｉｎｔｅｒ-ｂａｎｄ  ＵＬ  ＣＡ」を行う場合には、ＣＣごとに、無線特性（遅延特性や減衰特性）が異なる。ここで、異なる無線特性を有するＣＣのセルに対しては、それぞれの無線特性に応じたＴＡ制御を行うことが必要である。
【０００７】
また、ＣＣごとに送信ポイントが異なる場合、例えば、ＣＣ＃１は、マクロ無線基地局配下にあり、ＣＣ＃２は、スモール無線基地局配下（例えば、ＲＲＨ）にあり、ＣＣ＃１及びとＣＣ＃２を用いて「ＵＬ  ＣＡ」を行う場合には、移動局ＵＥと各無線基地局ｅＮＢとの距離が異なるため、その場合においても、それぞれの伝搬遅延に応じたＴＡ制御を行うことが必要である。
【０００８】
なお、かかる状況は、「Ｉｎｔｅｒ-ｂａｎｄ  ＵＬ  ＣＡ」が行われる場合だけでなく、一般的に、「ＵＬ  ＣＡ」が行われる場合に起きうる。
【０００９】
具体的には、ＬＴＥ-Ａｄｖａｎｃｅｄ方式に対応する移動通信システムでは、図９に示すように、「ＵＬ  ＣＡ」を行う場合に、Ｐｃｅｌｌ及びＳｃｅｌｌ＃１〜＃３を、無線特性が同等なグループ（ＴＡＧ：Ｔｉｍｉｎｇ  Ａｄｖａｎｃｅ  Ｇｒｏｕｐ、タイミング調整グループ）にグルーピングして、各グループでＴＡ制御を行うように構成されている。
【００１０】
かかるＴＡ制御は、「Ｍｕｌｔｉｐｌｅ  Ｔｉｍｉｎｇ  Ａｄｖａｎｃｅｓ（ＭＴＡ）制御」呼ばれている。
【００１１】
なお、かかるグループには、Ｐｃｅｌｌを含むｐＴＡＧ（図９の例では、ＴＡＧ＃Ａ）及びＳｃｅｌｌのみからなるｓＴＡＧ（図９の例では、ＴＡＧ＃Ｂ）の２種類が存在する。
【先行技術文献】
【非特許文献】
【００１２】
【非特許文献１】３ＧＰＰ寄書  Ｒ２-１１６５０３
【発明の概要】
【発明が解決しようとする課題】
【００１３】
しかしながら、現状では、「ＵＬ  ＣＡ」が行われる場合、移動局ＵＥは、無線基地局ｅＮＢに対して、対応可能なバンド及びＣＣについて通知することができるが、各ＣＣに対して設定可能なＴＡＧについて通知することができない。
【００１４】
したがって、無線基地局ｅＮＢは、各移動局ＵＥに対して、ＣＣ及びＴＡＧの適切なマッピングの設定を行うことができないという問題点があった。
【００１５】
例えば、無線基地局ｅＮＢが、ＣＣ及びＴＡＧの適切なマッピングの設定を行うことなく、かかる移動局ＵＥによる「ＵＬ  ＣＡ」を制御しようとする場合、無線基地局ｅＮＢと移動局ＵＥとの間で、ＩＯＴ（Ｉｎｔｅｒ  Ｏｐｅｒａｂｉｌｉｔｙ  Ｔｅｓｔ）を保証することができないという問題点があった。
【００１６】
そこで、本発明は、上述の課題に鑑みてなされたものであり、「ＵＬ  ＣＡ」が行われる場合に、ＣＣ及びＴＡＧの適切なマッピングの設定を行うことができる移動局を提供することを目的とする。
【課題を解決するための手段】
【００１７】
本発明の第１の特徴は、複数のコンポーネントキャリアを用いてキャリアアグリゲーションを行うことができるように構成されている移動通信システムで用いられる移動局であって、１つ又は複数のタイミング調整グループを管理するように構成されている管理部と、同一のタイミング調整グループに属するコンポーネントキャリアにおいて、上りリンク信号の送信タイミングが同一になるように調整するように構成されている調整部と、無線基地局に対して、対応可能なバンド及びＣＣと、設定可能なタイミング調整グループの組み合わせと共に、該組み合わせに含まれるタイミング調整グループに対応するバンド及びコンポーネントキャリアを通知するように構成されている送信部とを具備することを要旨とする。
【発明の効果】
【００１８】
以上説明したように、本発明によれば、「ＵＬ  ＣＡ」が行われる場合に、ＣＣ及びＴＡＧの適切なマッピングの設定を行うことができる移動局を提供することができる。
【図面の簡単な説明】
【００１９】
【図１】本発明の第１の実施形態に係る移動通信システムの全体構成図である。
【図２】本発明の第１の実施形態に係る移動局の機能ブロック図である。
【図３】本発明の第１の実施形態に係る移動局によって送信される情報要素「ＵＥ-ＥＵＴＲＡ-Ｃａｐａｂｉｌｉｔｙ」のフォーマットの一例を示す図である。
【図４】本発明の第１の実施形態に係る移動局によって送信される情報要素「ＵＥ-ＥＵＴＲＡ-Ｃａｐａｂｉｌｉｔｙ」の一例を示す図である。
【図５】本発明の変更例１に係る移動局によって送信される情報要素「ＵＥ-ＥＵＴＲＡ-Ｃａｐａｂｉｌｉｔｙ」のフォーマットの一例を示す図である。
【図６】本発明の変更例１に係る移動局によって送信される情報要素「ＵＥ-ＥＵＴＲＡ-Ｃａｐａｂｉｌｉｔｙ」のフォーマットの一例を示す図である。
【図７】本発明の変更例１に係る移動局によって送信される情報要素「ＵＥ-ＥＵＴＲＡ-Ｃａｐａｂｉｌｉｔｙ」によって送信される情報要素「ＳｕｐｐｏｒｔｅｄＭｕｌｔｉｐｌｅＴＡ-ＣａｐａｂｉｌｉｔｙＳｅｔ-ｒ１１」について説明するための図である。
【図８】従来の移動通信システムについて説明するための図である。
【図９】従来の移動通信システムについて説明するための図である。
【発明を実施するための形態】
【００２０】
（本発明の第１の実施形態に係る移動通信システム）
図１乃至図４を参照して、本発明の第１の実施形態に係る移動通信システムについて説明する。
【００２１】
本実施形態に係る移動通信システムは、ＬＴＥ-Ａｄｖａｎｃｅｄ方式をサポートするものであって、Ｐｃｅｌｌ及びＳｃｅｌｌを用いてＣＡを行うことができるように構成されている。
【００２２】
具体的には、本実施形態に係る移動通信システムは、異なるバンドのＣＣを用いた「ＵＬ  ＣＡ」、例えば、「Ｉｎｔｅｒ-ｂａｎｄ  ＵＬ  ＣＡ」を行うことができるように構成されている。
【００２３】
図１に示すように、本実施形態に係る移動通信システムは、セル＃１を管理する無線基地局ｅＮＢ等を具備している。
【００２４】
図２に示すように、本実施形態に係る移動局ＵＥは、管理部１１と、調整部１２と、送信部１３とを具備している。
【００２５】
管理部１１は、Ｐｃｅｌｌ或いはＳｃｅｌｌからなる１つ又は複数のＴＡＧ、すなわち、ｐＴＡＧ及びｓＴＡＧを管理するように構成されている。
【００２６】
具体的には、管理部１１は、各ｐＴＡＧ及びｓＴＡＧに属するサービングセル（或いは、ＣＣ）を管理するように構成されている。
【００２７】
調整部１２は、ＭＴＡ制御を行うように構成されている。すなわち、調整部１２は、同一のＴＡＧに属するＰｃｅｌｌ或いはＳｃｅｌｌ（或いは、ＰＣＣ或いはＳＣＣ）において、上りリンク信号の送信タイミングが同一になるように調整するように構成されている。
【００２８】
送信部１３は、無線基地局ｅＮＢに対して、各種信号を送信するように構成されている。
【００２９】
具体的には、送信部１３は、無線基地局ｅＮＢに対して、対応可能なバンド及びＣＣと、設定可能なＴＡＧの組み合わせと共に、かかる組み合わせに含まれるＴＡＧに対応するバンド及びＣＣを通知するように構成されている。
【００３０】
例えば、送信部１３は、図３及び図４に示すように、３ＧＰＰのＴＳ３６.３３１に規定されている情報要素「ＵＥ-ＥＵＴＲＡ-Ｃａｐａｂｉｌｉｔｙ」に対して、新規の情報要素「ＲＦ-Ｐａｒａｍｅｔｅｒｓ-ｖ１１ｘｙ」を追加し、かかる情報要素「ＲＦ-Ｐａｒａｍｅｔｅｒｓ-ｖ１１ｘｙ」を用いて、無線基地局ｅＮＢに対して、かかる移動局ＵＥにおいて対応可能なバンド及びＣＣと共に、かかるＣＣの各々に対して設定可能なＴＡＧを通知するように構成されている。
【００３１】
具体的には、送信部１３は、図３及び図４に示すように、情報要素「ＲＦ-Ｐａｒａｍｅｔｅｒｓ-ｖ１１ｘｙ」内の情報要素「ＳｕｐｐｏｒｔｅｄＢａｎｄＣｏｍｂｉｎａｔｉｏｎＥｘｔ-ｖ１１ｘｙ」内の情報要素「ＢａｎｄＣｏｍｂｉｎａｔｉｏｎＰａｒａｍｅｔｅｒｓＥｘｔ-ｖ１１ｘｙ」内の情報要素「ｓｕｐｐｏｒｔｅｄＴＡＧＣｏｍｂ-ｒ１１」内の情報要素「ｓｕｐｐｏｒｔｅｄＴＡｇｒｏｕｐｓ-ｒ１１」内の情報要素「ＴＡｇｒｏｕｐｅｄＢａｎｄ-ｒ１１」によって、上述のＴＡＧ（例えば、ＴＡＧ＃ＷやＴＡＧ＃Ｘ等）を通知し、かかる情報要素「ＴＡｇｒｏｕｐｅｄＢａｎｄ−ｒ１１」内の情報要素「ＴＡＧ-ＢａｎｄＰａｒａｍｅｔｅｒｓ-ｒ１１」内の情報要素「ｂａｎｄＥＵＴＲＡ」によって、上述のバンド（例えば、１、２、３…）を通知し、かかる情報要素「ＴＡＧ-ＢａｎｄＰａｒａｍｅｔｅｒｓ-ｒ１１」内の情報要素「ＣＡ-ＢａｎｄｗｉｄｔｈＣｌａｓｓＵＬ-ｒ１１」によって、上述のＣＣ（例えば、Ａ、Ｂ、Ｃ…）を通知するように構成されていてもよい。
【００３２】
ここで、情報要素「ｓｕｐｐｏｒｔｅｄＴＡＧＣｏｍｂ-ｒ１１」は、「Ｉｎｔｅｒ-ｂａｎｄ  ＣＡ」用に設定されているバンドの組み合わせ（ＣＡ  ｂａｎｄ  ｃｏｍｂｉｎａｔｉｏｎ）ごとに設定される情報要素である。
【００３３】
また、情報要素「ｓｕｐｐｏｒｔｅｄＴＡｇｒｏｕｐｓ-ｒ１１」は、「Ｉｎｔｅｒ-ｂａｎｄ  ＣＡ」用に設定されているバンド（ｓｕｐｐｏｒｔｅｄ  ＴＡ  ｇｒｏｕｐｉｎｇ）ごとに設定される情報要素である。
【００３４】
また、情報要素「ＴＡｇｒｏｕｐｅｄＢａｎｄ-ｒ１１」は、ＴＡＧごとに設定される情報要素である。
【００３５】
さらに、情報要素「ＴＡＧ-ＢａｎｄＰａｒａｍｅｔｅｒｓ-ｒ１１」は、バンド（ｓｕｐｐｏｒｔｅｄ  ｂａｎｄ  ｇｒｏｕｐｅｄ  ｉｎ  ｔｈｅ  ＴＡＧ）ごとに設定される情報要素である。
【００３６】
本実施形態に係る発明によれば、無線基地局ｅＮＢは、移動局ＵＥによって通知されたバンドとＣＣとＴＡＧとの組み合わせに基づいて、各移動局ＵＥに対して、ＣＣ及びＴＡＧの適切なマッピングの設定を行うことができる。
【００３７】
さらに、かかる情報要素「ＵＥ-ＥＵＴＲＡ-Ｃａｐａｂｉｌｉｔｙ」は、ＣＣの周波数が低い順或いは高い順といったように、予め決められた順に従って通知されてもよい。
（変更例１）
以下、図５乃至図７を参照して、本発明の変更例１に係る移動通信システムについて、上述の第１の実施形態に係る移動通信システムとの相違点に着目して説明する。
【００３８】
本変更例１に係る移動通信システムでは、送信部１３は、図５に示すように、３ＧＰＰのＴＳ３６.３３１に規定されている情報要素「ＵＥ-ＥＵＴＲＡ-Ｃａｐａｂｉｌｉｔｙ」に対して、新規の情報要素「ＲＦ-Ｐａｒａｍｅｔｅｒｓ-ｖ１１ｘｙ」を追加し、かかる情報要素「ＲＦ-Ｐａｒａｍｅｔｅｒｓ-ｖ１１ｘｙ」を用いて、無線基地局ｅＮＢに対して、かかる移動局ＵＥにおいて対応可能なバンド及びＣＣと共に、かかるＣＣの各々に対して設定可能なＴＡＧを通知するように構成されている。
【００３９】
具体的には、送信部１３は、図５に示すように、情報要素「ＲＦ-Ｐａｒａｍｅｔｅｒｓ-ｖ１１ｘｙ」内の情報要素「ＳｕｐｐｏｒｔｅｄＢａｎｄＣｏｍｂｉｎａｔｉｏｎＥｘｔ-ｖ１１ｘｙ」内の情報要素「ＳｕｐｐｏｒｔｅｄＭｕｌｔｉｐｌｅＴＡ-ＣａｐａｂｉｌｉｔｙＳｅｔ-ｒ１１」によって、上述のＴＡＧ（例えば、ＴＡＧ＃ＷやＴＡＧ＃Ｘ等）と上述のバンド（例えば、１、２、３…）と上述のＣＣ（例えば、Ａ、Ｂ、Ｃ…）の組み合わせを通知するように構成されていてもよい。
【００４０】
図６に示すように、情報要素「ＳｕｐｐｏｒｔｅｄＭｕｌｔｉｐｌｅＴＡ-ＣａｐａｂｉｌｉｔｙＳｅｔ-ｒ１１」は、ビットマップによって構成されるフィールドを有している。
【００４１】
例えば、移動局ＵＥが、「Ｍｕｌｔｉｐｌｅ-ＴＡｃａｐａｂｉｌｉｔｙｓｅｔ」＝「Ｎ」に対応している場合（図７参照）、送信部１３は、情報要素「ＳｕｐｐｏｒｔｅｄＭｕｌｔｉｐｌｅＴＡ-ＣａｐａｂｉｌｉｔｙＳｅｔ-ｒ１１」内のビットＮを「１」に設定するように構成されていてもよい。
【００４２】
ここで、情報要素「ＳｕｐｐｏｒｔｅｄＭｕｌｔｉｐｌｅＴＡ-ＣａｐａｂｉｌｉｔｙＳｅｔ-ｒ１１」内のビットマップ内の最上位ビット（ビット０）が、「Ｍｕｌｔｉｐｌｅ-ＴＡｃａｐａｂｉｌｉｔｙｓｅｔ」＝「０」に対応し、情報要素「ＳｕｐｐｏｒｔｅｄＭｕｌｔｉｐｌｅＴＡ-ＣａｐａｂｉｌｉｔｙＳｅｔ-ｒ１１」内のビットマップ内の最上位ビットの次のビット（ビット１）が、「Ｍｕｌｔｉｐｌｅ-ＴＡｃａｐａｂｉｌｉｔｙｓｅｔ」＝「１」に対応するものとする。
【００４３】
図７に、「Ｍｕｌｔｉｐｌｅ-ＴＡｃａｐａｂｉｌｉｔｙｓｅｔ」によって規定されるバンドとＣＣとＴＡＧとの組み合わせを規定するテーブルの一例を示す。
【００４４】
なお、無線基地局ｅＮＢ及び移動局ＵＥの双方において、同一の当該テーブルを管理している。
【００４５】
ここで、「１Ａ」における「１」は、バンドの識別情報であり、「Ａ」は、ＣＣの識別情報である。
【００４６】
また、「５Ａ」における「５」は、バンドの識別情報であり、「Ａ」は、ＣＣの識別情報である。
【００４７】
また、「１９Ａ」における「１９」は、バンドの識別情報であり、「Ａ」は、ＣＣの識別情報である。
【００４８】
また、「ＸＡ」における「Ｘ」は、バンドの識別情報であり、「Ａ」は、ＣＣの識別情報である。
【００４９】
また、「ＹＡ」における「Ｙ」は、バンドの識別情報であり、「Ａ」は、ＣＣの識別情報である。
【００５０】
また、「ＺＡ」における「Ｚ」は、バンドの識別情報であり、「Ａ」は、ＣＣの識別情報である。
【００５１】
また、「ＺＣ」における「Ｚ」は、バンドの識別情報であり、「Ｃ」は、ＣＣの識別情報である。なお、「Ｃ」は、不連続の２つのＣＣについて示す識別情報である。
【００５２】
なお、かかるテーブルにおいて、「ＺＣ」の代わりに、「ＺＡ１」及び「ＺＡ２」と設定するように構成されていてもよい。
【００５３】
また、「ＣＡ  Ｃｏｎｆｉｇｕｒａｔｉｏｎ」＝「ＣＡ  ＸＡ-ＹＡ-ＺＣ」内の「Ｃｏｍｂｉｎａｔｉｏｎ  ｏｆ  Ｂａｎｄｓ  ｃｏｎｆｉｇｕｒｅｄ  ｆｏｒ  ＵＬ  ＣＡ」＝「ＸＡ-ＹＡ-ＺＣ」内の「Ｃｏｍｂｉｎａｔｉｏｎ  Ｂａｎｄ  ｃｏｎｆｉｇｕｒｅｄ  ｆｏｒ  ＵＬ  ＣＡ」＝「ＺＣ」では、周波数が低いＣＣがＴＡＧ＃Ｘ（或いは、ＴＡＧ＃Ｙ）に属すると解してもよい。
【００５４】
図７に示すように、「Ｍｕｌｔｉｐｌｅ-ＴＡｃａｐａｂｉｌｉｔｙｓｅｔ」は、「Ｉｎｔｅｒ-ｂａｎｄ  ＣＡ」用に設定されているバンドの組み合わせ（「Ｃｏｍｂｉｎａｔｉｏｎ  ｏｆ  Ｂａｎｄｓ  ｃｏｎｆｉｇｕｒｅｄ  ｆｏｒ  ＵＬ  ＣＡ」/ＣＡ  ｂａｎｄ  ｃｏｍｂｉｎａｔｉｏｎ）ごとに「０」から始まるように構成されていてもよい。
【００５５】
例えば、かかるテーブルにおいて、「ＣＡ  Ｃｏｎｆｉｇｕｒａｔｉｏｎ」＝「ＣＡ  ＸＡ-ＹＡ-ＺＡ」内の「Ｃｏｍｂｉｎａｔｉｏｎ  ｏｆ  Ｂａｎｄｓ  ｃｏｎｆｉｇｕｒｅｄ  ｆｏｒ  ＵＬ  ＣＡ」＝「ＸＡ-ＹＡ」及び「Ｃｏｍｂｉｎａｔｉｏｎ  ｏｆ  Ｂａｎｄｓ  ｃｏｎｆｉｇｕｒｅｄ  ｆｏｒ  ＵＬ  ＣＡ」＝「ＹＡ-ＺＡ」の両方に、「Ｍｕｌｔｉｐｌｅ-ＴＡｃａｐａｂｉｌｉｔｙｓｅｔ」＝「０」と設定されている場合、送信部１３は、上述の情報要素「ＳｕｐｐｏｒｔｅｄＭｕｌｔｉｐｌｅＴＡ-ＣａｐａｂｉｌｉｔｙＳｅｔ-ｒ１１」に「ｔｒｕｅ」を設定することで、上述の「ＸＡ-ＹＡ」及び「ＹＡ-ＺＡ」の両方に対応可能であることを通知するように構成されていてもよい。
【００５６】
本変更例１に係る移動通信システムによれば、無線基地局ｅＮＢは、移動局ＵＥによって通知されたバンドとＣＣとＴＡＧとの組み合わせに基づいて、各移動局ＵＥに対して、ＣＣ及びＴＡＧの適切なマッピングの設定を行うことができる。
【００５７】
また、本変更例１に係る移動通信システムによれば、移動局ＵＥは、上述の情報要素「ＳｕｐｐｏｒｔｅｄＭｕｌｔｉｐｌｅＴＡ-ＣａｐａｂｉｌｉｔｙＳｅｔ-ｒ１１」を用いることによって、少ないデータ量で、無線基地局ｅＮＢに対して、対応可能なバンドとＣＣとＴＡＧとの組み合わせを通知することができる。
【００５８】
以上に述べた本実施形態の特徴は、以下のように表現されていてもよい。
【００５９】
本実施形態の第１の特徴は、「ＵＬ  ＣＡ（複数のコンポーネントキャリアを用いてキャリアアグリゲーション）」を行うことができるように構成されている移動通信システムで用いられる移動局ＵＥであって、１つ又は複数のＴＡＧ（タイミング調整グループ）を管理するように構成されている管理部１１と、同一のＴＡＧに属するＣＣ（コンポーネントキャリア）において、上りリンク信号の送信タイミングが同一になるように調整するように構成されている調整部１２と、無線基地局ｅＮＢに対して、対応可能なバンド及びＣＣと、設定可能なＴＡＧの組み合わせと共に、かかる組み合わせに含まれるＴＡＧに対応するバンド及びＣＣを通知するように構成されている送信部１３とを具備することを要旨とする。
【００６０】
本実施形態の第１の特徴において、送信部１３は、上述のバンドとＣＣとＴＡＧとの組み合わせを示す「Ｍｕｔｉｐｌｅ-ＴＡｃａｐａｂｉｌｉｔｙｓｅｔ（タイミング調整能力組み合わせ情報）」を送信するように構成されていてもよい。
【００６１】
本実施形態の第１の特徴において、送信部１３は、予め決められた順に従って、上述の通知を行うように構成されていてもよい。
【００６２】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００６３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６６】
ＵＥ…移動局
ｅＮＢ…無線基地局
１１…管理部
１２…調整部
１３…送信部
【図１】
2014093663.tif 000003
【図２】
2014093663.tif 000004
【図６】
2014093663.tif 000005
【図７】
2014093663.tif 000006
【図８】
2014093663.tif 000007
【図９】
2014093663.tif 000008
【図３】
2014093663.tif 000009
【図４】
2014093663.tif 000010
【図５】
2014093663.tif 000011